(57)【要約】【課題】壁パネルから突出するボルトを、取付金具のスリット部に差し込む際に、座金が金具上端に引っ掛かりにくくできる壁パネルの取付工法を提供する。【解決手段】ボルト挿通孔（５２）が設けられた平面部（５１）と、平面部の外周の少なくとも一部に、平面部に対して折り曲げられて設けられた折曲片（５３）と、を有する座金プレート（５０）を、壁パネル（１００）に予め埋設されたアンカー（６０）部分に配し、座金プレート（５０）のボルト挿通孔（５２）を通して、一部が屋内側に突出するようにボルト（６１）をアンカー（６０）に挿入し、壁パネルと座金プレートとの間に取付金具（４０）が配されるように、ボルトの突出部分を取付金具（４０）のスリット（４４）に差し込む際に、折曲片により、座金プレートが取付金具の屋内側となるように誘導されることを特徴とする壁パネルの取付工法。【選択図】図８
2020158972.tif 000002
【特許請求の範囲】
【請求項１】
壁パネル（１００）を、建物の梁（１０）または柱の屋外側に取り付ける壁パネルの取付工法であって、
一端部に開放されたスリット（４４）を有する取付金具（４０）を、前記梁（１０）または柱に直接または間接的に固定し、
略中央部にボルト挿通孔（５２）が設けられた平面部（５１）と、平面部（５１）の外周の少なくとも一部に、該平面部（５１）に対して折り曲げられて設けられた折曲片（５３）と、を有し、前記折曲片（５３）と前記平面部（５１）とがなす角度θが鈍角である座金プレート（５０）を、前記折曲片（５３）が屋内側に向くように、前記壁パネル（１００）の屋内側の面下部に予め埋設されたアンカー（６０）部分に配し、
前記座金プレート（５０）のボルト挿通孔（５２）を通して、一部が屋内側に突出するようにボルト（６１）を前記アンカー（６０）に挿入し、
前記壁パネル（１００）と前記座金プレート（５０）との間に前記取付金具（４０）が配されるように、前記ボルト（６１）の突出部分を前記取付金具（４０）の前記スリット（４４）に差し込み、
前記ボルト（６１）を締結することにより、前記壁パネル（１００）を前記取付金具（４０）を介して前記梁（１０）または柱に取り付ける取付工法において、
前記ボルト（６１）の突出部分を前記スリット（４４）に差し込む際に、前記折曲片（５３）により、前記座金プレート（５０）が前記取付金具（４０）の屋内側となるように誘導されることを特徴とする壁パネルの取付工法。
【請求項２】
前記取付金具（４０）を、前記梁（１０）の上面（１１）に固定された下地鋼材（２０）の鉛直部（２２）の屋内側の面に固定する、請求項１に記載の壁パネルの取付工法。
【請求項３】
前記座金プレート（５０）において、前記ボルト挿通孔（５２）が長円形状である、請求項１または２に記載の壁パネルの取付工法。
【請求項４】
前記座金プレート（５０）において、前記折曲片（５３）は前記平面部（５１）の一辺の両端にそれぞれ設けられ、該２つの折曲片（５３）の間は解放されている、請求項１から３のいずれか１項に記載の壁パネルの取付工法。
【請求項５】
前記座金プレート（５０）において、前記折曲片（５３）と前記平面部（５１）とがなす角度が、前記取付金具（４０）の段差部（４３）の角度と略等しくされている、請求項１から４のいずれか１項に記載の壁パネルの取付工法。
【請求項６】
前記座金プレート（５０）と前記ボルト（６１）との間に、ワッシャー（６３）を配する、請求項１から５のいずれか１項に記載の壁パネルの取付工法。
【請求項７】
壁パネル（１００）が、建物の梁（１０）または柱の屋外側に取り付けられてなる壁パネルの取付構造体であって、
屋内側の面下部にアンカー（６０）が埋設されている壁パネル（１００）と、
前記梁（１０）または柱に直接または間接的に固定され、一端部に開放されたスリット（４４）を有する取付金具（４０）と、
略中央部にボルト挿通孔（５２）が設けられた平面部（５１）と、平面部（５１）の外周の少なくとも一部に、該平面部（５１）に対して折り曲げられて設けられた折曲片（５３）と、を有し、前記折曲片（５３）と前記平面部（５１）となす角度θが鈍角である座金プレート（５０）と、
前記座金プレート（５０）のボルト挿通孔（５２）を通して、一部が屋内側に突出するように前記アンカー（６０）に挿入されたボルト（６１）と、を備え、
前記座金プレート（５０）が、前記折曲片（５３）が屋内側に向くように、前記壁パネル（１００）のアンカー（６０）部分に配され、
前記ボルト（６１）の突出部分が前記取付金具（４０）の前記スリット（４４）に差し込まれることにより、前記壁パネル（１００）と前記座金プレート（５０）との間に前記取付金具（４０）が配され、
前記ボルト（６１）により、前記壁パネル（１００）が前記取付金具（４０）を介して前記梁（１０）または柱に取り付けられてなることを特徴とする壁パネルの取付構造体。
【請求項８】
壁パネル（１００）を建物の梁（１０）または柱直接または間接的に取り付ける取付金具（４０）を、壁パネル（１００）にボルト（６１）で固定する際に、該取付金具（４０）と該ボルト（６１）との間に挿入される板状の座金プレート（５０）であって、
略矩形状の平面部（５１）と、
前記平面部（５１）の略中央部に設けられたボルト挿通孔（５２）と、
前記平面部（５１）の一辺の少なくとも一端に、該平面部（５１）に対して折り曲げられて設けられた折曲片（５３）と、を有し、
前記折曲片（５３）と前記平面部（５１）となす角が鈍角であることを特徴とする、座金プレート。
【請求項９】
請求項７に記載の壁パネルの取付構造体を備えた、建物。
【発明の詳細な説明】
【技術分野】
【０００１】
本発明は、建物躯体に壁パネルを取り付ける壁パネルの取付工法、壁パネルの取付構造体、座金プレートおよび建物に関するものである。
【背景技術】
【０００２】
従来、このような分野の技術として、例えば、特許文献１および特許文献２に記載されるような壁パネル取付構造体が知られている。この特許文献１に示された取付構造体は、パネルの自重を受ける自重受部と上段パネルが取り付けられる上段取付部とを有する第１金具と、下段パネルが取り付けられる下段取付部とを有する第２金具と、を備えている。上段取付部には第１金具の上端に開放されたスリットが設けられている。そして、下段パネルの上部にボルトが植設されており、このボルトが第２金具の下部取付部に挿通締結され、梁に固定した定規アングルに第２金具を固定することで、下段パネルが躯体に固定される。また、上段パネルの下部にボルトが植設されており、このボルトが第１金具のスリット部に上方から差し込まれるように自重受け部に載置され、第１金具の上部取付部に締結される。
【０００３】
なお、特許文献１の図５に示されるように、通常は、上部取付部において、ボルト頭部あるいは埋設アンカーがスリット部を通り抜けることがないように、スリット幅より大きい丸座金が併用されている。
【先行技術文献】
【特許文献】
【０００４】
【特許文献１】特開平４−１８９９４３号公報
【特許文献２】特開２０１４−１９６６５７号公報
【発明の概要】
【発明が解決しようとする課題】
【０００５】
しかしながら、上記の取付工法及び取付構造体では、以下の不都合があった。
図１３に示すように、パネル１００Ａから突出するボルト６１が丸座金７０の重みと相まって下方に垂れ下がる。このとき、丸座金７０はボルト軸と略直角に、すなわち、丸座金７０の下端がパネル１００に近づく方に傾斜する。このときのボルト垂れさがり角度は、例えば、３°〜１０°となる。
これにより、座金７０の下端とパネル１００Ａとの隙間が小さくなり、上方から金具４０のスリットに差し込みづらいという問題があった。
【０００６】
また、スリットに上から差し込むときに、座金が第１金具の上端に引っ掛かりやすい。座金が引っかからないようにするための施工上の対策、例えば、ボルトの突出量を大きくする、ボルトが垂れさがらないように手などで支える、などが必要で、面倒であった。
【０００７】
なお、丸座金の径を、特許文献２に示される関係性（スリット幅広部の幅＞座金径＞スリット巾狭部の巾＞ボルト径）にしても、パネル幅方向の位置関係において、座金がスリット幅内に誘導される効果はあるが、座金を屋内側に誘導する機能はなく、座金が金具上端に引っ掛かりやすいのは変わらない。
【０００８】
本発明は、このような従来の実情に鑑みて提案されたものであり、本発明の目的は、壁パネルから突出するボルトを、取付金具のスリットに差し込む際に、座金が金具上端に引っ掛かりにくくできる壁パネルの取付工法、壁パネルの取付構造体、座金プレートおよび建物を提供することにある。
【課題を解決するための手段】
【０００９】
［１］
壁パネル（１００）を、建物の梁（１０）または柱の屋外側に取り付ける壁パネルの取付工法であって、
一端部に開放されたスリット（４４）を有する取付金具（４０）を、前記梁（１０）または柱に直接または間接的に固定し、
略中央部にボルト挿通孔（５２）が設けられた平面部（５１）と、平面部（５１）の外周の少なくとも一部に、該平面部（５１）に対して折り曲げられて設けられた折曲片（５３）と、を有し、前記折曲片（５３）と前記平面部（５１）とがなす角度θが鈍角である座金プレート（５０）を、前記折曲片（５３）が屋内側に向くように、前記壁パネル（１００）の屋内側の面下部に予め埋設されたアンカー（６０）部分に配し、
前記座金プレート（５０）のボルト挿通孔（５２）を通して、一部が屋内側に突出するようにボルト（６１）を前記アンカー（６０）に挿入し、
前記壁パネル（１００）と前記座金プレート（５０）との間に前記取付金具（４０）が配されるように、前記ボルト（６１）の突出部分を前記取付金具（４０）の前記スリット（４４）に差し込み、
前記ボルト（６１）を締結することにより、前記壁パネル（１００）を前記取付金具（４０）を介して前記梁（１０）または柱に取り付ける取付工法において、
前記ボルト（６１）の突出部分を前記スリット（４４）に差し込む際に、前記折曲片（５３）により、前記座金プレート（５０）が前記取付金具（４０）の屋内側となるように誘導されることを特徴とする壁パネルの取付工法。
［２］
前記取付金具（４０）を、前記梁（１０）の上面（１１）に固定された下地鋼材（２０）の鉛直部（２２）の屋内側の面に固定する、［１］に記載の壁パネルの取付工法。
［３］
前記座金プレート（５０）において、前記ボルト挿通孔（５２）が長円形状である、［１］または［２］に記載の壁パネルの取付工法。
［４］
前記座金プレート（５０）において、前記折曲片（５３）は前記平面部（５１）の一辺の両端にそれぞれ設けられ、該２つの折曲片（５３）の間は解放されている、［１］から［３］のいずれかに記載の壁パネルの取付工法。
［５］
前記座金プレート（５０）において、前記折曲片（５３）と前記平面部（５１）とがなす角度が、前記取付金具（４０）の段差部（４３）の角度と略等しくされている、［１］から［４］のいずれかに記載の壁パネルの取付工法。
［６］
前記座金プレート（５０）と前記ボルト（６１）との間に、ワッシャー（６３）を配する、［１］から［５］のいずれかに記載の壁パネルの取付工法。
［７］
壁パネル（１００）が、建物の梁（１０）または柱の屋外側に取り付けられてなる壁パネルの取付構造体であって、
屋内側の面下部にアンカー（６０）が埋設されている壁パネル（１００）と、
前記梁（１０）または柱に直接または間接的に固定され、一端部に開放されたスリット（４４）を有する取付金具（４０）と、
略中央部にボルト挿通孔（５２）が設けられた平面部（５１）と、平面部（５１）の外周の少なくとも一部に、該平面部（５１）に対して折り曲げられて設けられた折曲片（５３）と、を有し、前記折曲片（５３）と前記平面部（５１）となす角度θが鈍角である座金プレート（５０）と、
前記座金プレート（５０）のボルト挿通孔（５２）を通して、一部が屋内側に突出するように前記アンカー（６０）に挿入されたボルト（６１）と、を備え、
前記座金プレート（５０）が、前記折曲片（５３）が屋内側に向くように、前記壁パネル（１００）のアンカー（６０）部分に配され、
前記ボルト（６１）の突出部分が前記取付金具（４０）の前記スリット（４４）に差し込まれることにより、前記壁パネル（１００）と前記座金プレート（５０）との間に前記取付金具（４０）が配され、
前記ボルト（６１）により、前記壁パネル（１００）が前記取付金具（４０）を介して前記梁（１０）または柱に取り付けられてなることを特徴とする壁パネルの取付構造体。
［８］
壁パネル（１００）を建物の梁（１０）または柱直接または間接的に取り付ける取付金具（４０）を、壁パネル（１００）にボルト（６１）で固定する際に、該取付金具（４０）と該ボルト（６１）との間に挿入される板状の座金プレート（５０）であって、
略矩形状の平面部（５１）と、
前記平面部（５１）の略中央部に設けられたボルト挿通孔（５２）と、
前記平面部（５１）の一辺の少なくとも一端に、該平面部（５１）に対して折り曲げられて設けられた折曲片（５３）と、を有し、
前記折曲片（５３）と前記平面部（５１）となす角が鈍角であることを特徴とする、座金プレート。
［９］
［７］に記載の壁パネルの取付構造体を備えた、建物。
【発明の効果】
【００１０】
本発明によれば、壁パネルから突出するボルトを、スリットに差し込む際に、座金が金具上端に引っ掛かりにくくできる壁パネルの取付工法、壁パネルの取付構造体、座金プレートおよび建物を提供することができる。
【図面の簡単な説明】
【００１１】
【図１】本発明の壁パネルの取付構造体の一例を示す断面図である。
【図２】本発明の取付構造体に用いられる座金プレートの一例を示す斜視図である。
【図３】本発明の壁パネルの取付工法の一例を説明する図である。
【図４】本発明の壁パネルの取付工法の一例を説明する図である。
【図５】本発明の壁パネルの取付工法の一例を説明する図である。
【図６】本発明の壁パネルの取付工法の一例を説明する図である。
【図７】本発明の壁パネルの取付工法の一例を説明する図である。
【図８】本発明の壁パネルの取付工法の一例を説明する図である。
【図９】本発明の壁パネルの取付工法の一例を説明する図である。
【図１０】本発明の取付構造体に用いられる座金プレートの他の一例を示す斜視図である。
【図１１】本発明の取付構造体に用いられる座金プレートの他の一例を示す図である。
【図１２】本発明の取付構造体に用いられる座金プレートの他の一例を示す図である。
【図１３】従来の壁パネルの取付工法の一例を説明する図である。
【発明を実施するための形態】
【００１２】
以下、本発明を実施するための実施の形態について詳細に説明する。
なお、以下の説明では、壁パネルとして外壁パネルを、建物躯体である梁に取り付ける場合を例に挙げて説明する。
【００１３】
図１は、本発明の壁パネルの取付構造体の一例を示す斜視図であり、図２は、本発明の取付構造体に用いられる座金プレートの一例を示す斜視図である。また、図３〜図９は、本発明の壁パネルの取付工法の一例を説明する図である。
なお、図では、図面左側を屋外側、図面右側を屋内側、図面上側を上側、図面下側を下側とする。
【００１４】
本発明の壁パネルの取付構造体１は、図１に示すように、壁パネル１００（外壁パネル）と、壁パネル１００の屋内側に位置する建物の梁１０（建物躯体）と、上側壁パネル１００Ａの屋内側の面下部に埋設されたアンカー６０（埋設アンカー）と、ボルト挿通孔５２が形成された座金プレート５０と、座金プレート５０のボルト挿通孔５２を介して、壁パネルのアンカー６０に挿入されたボルト６１と、壁パネルの屋内側に位置する建物の梁１０と、梁１０に直接または間接的に固定され、一端部に開放されたスリット４４を有する取付金具４０と、を備える。
【００１５】
そして、この取付構造体１では、座金プレート５０のボルト挿通孔５２を介して上側壁パネル１００Ａのアンカー６０に挿入されたボルト６１が、取付金具４０のスリット４４を挿通することにより、上側壁パネル１００Ａと座金プレート５０との間に取付金具４０が挿入され、ボルト６１により上側壁パネル１００Ａが取付金具４０に固定されている。
【００１６】
特に本発明において、座金プレート５０は、図２に示すように、略矩形状の平面部５１と、平面部５１の略中央部に設けられたボルト挿通孔５２と、平面部５１の外周（ここでは下辺）の少なくとも一部に、該平面部５１に対して折り曲げられて設けられた折曲片５３と、を有し、折曲片５３と平面部５１とがなす角度θが鈍角であることを特徴とする。
【００１７】
壁パネル１００（１００Ａ、１００Ｂ）は、例えば発泡コンクリートパネルであり、ＡＬＣ（Autoclaved Lightweight aerated Concrete）パネルであることが好ましい。
【００１８】
つぎに、本発明の壁パネルの取り付け工法について説明する。
まず、図３および図４に示すように、一端部に開放されたスリット４４を有する取付金具４０を、梁１０に直接または間接的に固定する。
【００１９】
下地鋼材２０は、梁１０に平行に延びる鋼製のアングル材（定規アングル）であり、梁１０の水平な上面１１に固定される水平フランジ２１と、水平フランジ２１の縁部から鉛直上方に延びる鉛直フランジ２２と、を有する、断面略Ｌ字形状の鋼材である。
【００２０】
水平フランジ２１が梁１０の上面１１に溶接またはボルト締めされることで、下地鋼材２０が梁１０に固定されている。鉛直フランジ２２は、梁１０の上面１１から僅かに屋外側にはみ出した位置にある。この鉛直フランジ２２のはみ出し量が、下地鋼材２０の設置時に調整されることで、壁パネル１００の設置位置を水平方向に出入り調整することができる。
【００２１】
取付金具４０は、図３および図４に示すように、長手方向を有する平板により構成されており、長手方向に段差部４３を介して互いに平行に連続して構成された第１部分４１および第２部分４２を備えている。第１部分４１の幅方向（図４の左右方向）の略中央部には、一端側（ここでは上端側）に解放されたスリット４４が形成されている。
本実施形態では、スリット４４の開放端が上側となるように、取付金具４０の屋外側の面を、梁１０に固定された下地鋼材２０の鉛直フランジ２２の屋内側の面に当接させて、溶接により下地鋼材２０の鉛直フランジ２２に固定する。
【００２２】
一方、図５および図６に示すように、上側壁パネル１００Ａの屋内側の面下部には、アンカー６０が予め埋設されている。そして、座金プレート５０を、折曲片５３が屋内側に向くように、上側壁パネル１００Ａのアンカー６０部分に配して、座金プレート５０のボルト挿通孔５２を通して、一部が屋内側に突出するように、ボルト６１をアンカー６０に挿入する。
【００２３】
座金プレート５０は、壁パネルを建物の梁１０の外側に取り付ける取付金具４０を、該梁１０に直接または間接的にボルト６１で固定する際に、該取付金具４０と該ボルト６１のボルト頭部６２との間に挿入される板状の部材である。
図２に示すように、座金プレート５０は、略矩形状の平面部５１と、平面部５１の略中央部に設けられたボルト挿通孔５２と、平面部５１の外周（ここでは下辺）の少なくとも一部に、該平面部５１に対して折り曲げられて設けられた折曲片５３と、を有し、折曲片５３と平面部５１とがなす角度θが鈍角である。
【００２４】
平面部５１には、ボルト６１が挿通されるボルト挿通孔５２が形成されている。後述するように、上側壁パネル１００Ａの屋内側の面下部に配され、該面下部に埋設されたアンカー６０に、ボルト挿通孔５２を介してボルト６１が挿通される。取付金具４０とボルト頭部６２との間とのにワッシャー６３を配してもよい。ワッシャー６３としては、スプリングワッシャーや平ワッシャーが挙げられる。ここでは、ワッシャー６３としてスプリングワッシャー（ばね座金）を配している。
【００２５】
そして、図７に示すように、上側壁パネル１００Ａと座金プレート５０との間に取付金具４０が配されるように、ボルト６１の屋内側への突出部分を取付金具４０のスリット４４に差し込み、上側壁パネル１００Ａを所定位置にセットする。
【００２６】
このとき、図６および図７に示すように、上側壁パネル１００Ａから突出するボルト６１が座金プレート５０の重みと相まって下方に垂れ下がり、座金プレート５０の下端と上側壁パネル１００Ａとの隙間が小さくなってしまう。このときのボルト垂れさがり角度は、例えば、３°〜１０°となる。
【００２７】
本発明では、図８に示すように、座金プレート５０に屋内側に向くように折曲片５３が設けられているので、ボルト６１の突出部分を取付金具４０のスリット４４に差し込む際に、この折曲片５３により、座金プレート５０が取付金具４０の屋内側へ誘導される。これにより、座金プレート５０の下端部が取付金具４０の上端部に引っ掛かりにくくなり、取付金具４０を上側壁パネル１００Ａと座金プレート５０との間に容易に差し込むことができる。その結果、上側壁パネル１００Ａと座金プレート５０との間に取付金具４０が配されるように、ボルト６１の突出部分を取付金具４０のスリット４４に容易に差し込むことができる。
【００２８】
特に、座金プレート５０において、折曲片５３と平面部５１とがなす角度θが鈍角であることで、座金プレート５０およびボルト６１が取り付けられた上側壁パネル１００Ａを下ろしていき、折曲片５３の下端部が取付金具４０の上端部に接した後、座金プレート５０が取付金具４０の屋内側へより確実に誘導される。
【００２９】
座金プレート５０において、折曲片５３は下辺にのみ設けられ、かつ、重心より高い位置にボルト挿通孔５２が設けられている。これにより、取付金具４０を差し込む際に、取付金具４０を屋内側へより確実に誘導することができる。
【００３０】
座金プレート５０を取付金具４０の屋内側に確実に誘導する観点から、座金プレート５０の折曲片５３のパネル厚み方向寸法は、取付金具４０の厚みよりも大きいことが好ましい。
【００３１】
また、座金プレート５０の折曲片５３と平面部５１とがなす角度θが、取付金具４０の段差部４３の角度と略等しくされていることが好ましい。
これにより、座金プレート５０の折曲片５３を、取付金具４０の段差部４３に乗せることができる。ボルト６１を締結して固定する際に、ボルト６１が右ねじの場合は、座金プレート５０の右下の折曲片５３が、取付金具４０の段差部４３と噛み合い突っ張ることにより座金の共回りを抑止できる（図９参照）。
【００３２】
座金プレート５０のボルト挿通孔５２が、上下方向（垂直方向）に長円形状であることが好ましい（図２参照）。高さ方向の位置誤差を長円形状のボルト挿通孔５２が吸収して、取付金具４０の段差部４３に乗せやすくなる。
このとき、ボルト挿通孔５２が上下方向に長い場合は、重心より高い位置に設けたボルト径の仮想穴を内包するような長円孔であればよい。つまり、長円孔の中心が重心より高い位置である必要はない。座金プレート５０をボルト６１にぶら下げた際に、折曲片５３が常に下方を向く。
【００３３】
最後に、図９に示すように、ボルト６１を締結し、上側壁パネル１００Ａに埋設されたアンカー６０に固定することによって、上側壁パネル１００Ａを取付金具４０に取付固定する。
【００３４】
折曲片５３は、座金プレート５０の平面部５１の中央部を避けて、少なくとも左右の一方に、図に示す例では、座金プレート５０下辺部の左右両端に２か所設けている。折曲片５３の下辺中央部を避けて左右両端に設けることにより、下辺中央部は空いたスペースとなる。
【００３５】
ボルト６１にワッシャー６３を配して締め付ける（締結する）場合に、この空いたスペースにワッシャー６３が入り込むことができ、座金を大型にしなくてもワッシャー６３のスペースを確保できる。
【００３６】
さらに、ボルト締結時のスパナ頭の回転スペースを確保しやすくなり、座金プレート５０の折曲片５３とボルト挿通孔５２の鉛直距離を短くできる。また、上辺部分には折曲片５３が設けられていないので、作業箇所が柱裏等の狭い所であっても、スパナを真横から差し込んで締めこむときに、折曲片５３が邪魔にならず、スパナ等でボルト６１をスムーズに螺合（締結）できる。
【００３７】
また、座金プレート５０の折曲片５３が、取付金具４０の段差部４３に乗っけられているので、ボルト６１の締結時に、座金プレート５０の右下の折曲片５３が、取付金具４０の段差部４３と噛み合い突っ張ることにより座金の共回りを抑止できる。この観点から、例えば図１０に示すように、座金プレート５０Ａ（５０）に折曲片５３を１つのみ設ける場合、ボルト６１は通常、右回りに締め付けるので、座金プレート５０Ａ（５０）の折曲片５３は、少なくともボルト頭部６２側から見て右側に設けることが好ましい。
【００３８】
とりわけ、取付金具４０にも段差部４３がある場合などで、座金プレート５０の折曲片５３が取付金具４０の段差部４３と位置干渉しやすい場合に好適である。
鉛直距離を長くとると、取付金具４０をそれだけ上に伸ばすことになり、取付金具４０が強度設計上大きく厚くなって不経済である。
【００３９】
このように、上側壁パネル１００Ａから突出したボルト６１がスリット４４に挿通され、さらにボルト締めされることによって、上側壁パネル１００Ａは取付金具４０に固定される。
【００４０】
なお、流通および保管の際に、座金プレート５０は、ボルト６１と組み込んで一体化にはせず、座金プレート５０とボルト６１とはバラとするのが好ましい。これにより、ボルト６１および座金プレート５０をそれぞれ梱包する際に嵩張らない。
【００４１】
以上のようにして、上側壁パネル１００Ａの屋内側の面下部に、取付金具４０が、座金プレート５０を介してボルト留めにより固定される。一方、取付金具４０は、梁１０に固定された下地鋼材２０の鉛直フランジ２２の屋内側に溶接固定されており、これにより上側壁パネル１００Ａは間接的に梁１０（建物躯体）に固定される。
【００４２】
そして、上述したような取付工法により、建物躯体に壁パネルが取り付けられてなる壁パネルの取付構造体、および該取付構造体を備えた建物も、本発明に含まれる。
【００４３】
以上、本発明の実施の形態について説明してきたが、本発明はこれに限定されるものではなく、発明の趣旨を逸脱しない範囲で適宜変更可能である。
なお、上述した説明では、取付金具をスリットの解放端が上向きになるように配し、壁パネルに取り付けられた座金プレートおよびボルトを上側から差し込む場合を例に挙げて説明したが、本発明はこれに限定されるものではなく、取付金具をスリットの解放端が横向きになるように配し、壁パネルに取り付けられた座金プレートおよびボルトを横側から差し込む場合にも、本発明は適用可能である。この場合、座金プレートの折曲片は、取付金具に差し込む方向に配される。
【００４４】
また、上述した説明では、座金プレートの平面部が矩形状をなす場合を例に挙げて説明したが、本発明はこれに限定されるものではなく、例えば図１１（ｂ）に示すように、座金プレート５０Ｂ（５０）の平面部５１は、折曲片５３の反対側の部分が該折曲片５３と同じ形状に切り欠かれて切欠部５４とされていてもよい。この場合、例えば図１１（ａ）に示すように、１枚の金属板を打ち抜いて座金プレート５０Ｂ（５０）を成形する際に、折曲片５３と切欠部５４とが噛み合うように配置することで、金属板のロスがなく経済的である。
また、図１２に示すように、座金プレート５０Ｃ（５０）の平面部５１は、円形状であってもよい。この場合、座金プレート５０Ｃ（５０）は、平面部５１の外周全体が折曲片５３とされた円皿状をなす。
【００４５】
また、上述した説明では、壁パネルとして外壁パネルを例に挙げ、外壁パネルを建物躯体に取り付ける場合を例に挙げて説明したが、本発明はこれに限定されるものではなく、屋内における壁パネルを取り付ける場合にも、本発明は適用可能である。
この場合、壁パネル表面は「屋外」ではなく「室内（部屋の内側）」を向いて取り付けられるため、上記説明において「屋外側」は『室内側』、「屋内側」は『室外側』と読み替えるものとする。
ここで、「室内」とは、壁パネルが取り付けられる部屋（個室）の内側空間であって、通常、人間が活動する空間のことを言い、廊下や玄関ホールなどの空間も含む。
【産業上の利用可能性】
【００４６】
本発明による座金プレートを用いることで、壁パネルから突出するボルトを、スリット部に差し込む際に、座金が金具上端に引っ掛かりにくいものとなり、壁パネルの取付工法、壁パネルの取付構造体、座金プレートおよび建物として広く利用することができる。
【符号の説明】
【００４７】
１    ：取付構造体
１０  ：梁
１１  ：上面
２０  ：下地鋼材
２１  ：水平フランジ
２２  ：鉛直フランジ
４０  ：取付金具
４１  ：第１部分
４２  ：第２部分
４３  ：段差部
４４  ：スリット
５０  ：座金プレート
５１  ：平面部
５２  ：ボルト挿通孔
５３  ：折曲片
５４  ：切欠部
６０  ：アンカー
６１  ：ボルト
６２  ：ボルト頭部
６３  ：ワッシャー
１００  ：壁パネル
１００Ａ  ：上側壁パネル
１００Ｂ  ：下側壁パネル
【図１】
2020158972.tif 000003
【図２】
2020158972.tif 000004
【図３】
2020158972.tif 000005
【図４】
2020158972.tif 000006
【図５】
2020158972.tif 000007
【図６】
2020158972.tif 000008
【図７】
2020158972.tif 000009
【図８】
2020158972.tif 000010
【図９】
2020158972.tif 000011
【図１０】
2020158972.tif 000012
【図１１】
2020158972.tif 000013
【図１２】
2020158972.tif 000014
【図１３】
2020158972.tif 000015